(57)【要約】【課題】本考案は、顔の凸凹にぴったり貼りつけることができ、パックに吸着した液体に最大の効果を発揮させることが可能な単一シート式全被覆型立体パックを提供する。【解決手段】本考案による単一シート式全被覆型立体パックは、液体を含むとともに顔の皮膚に敷かれる。前記パックは、前記顔の片方の側面に貼られる第一シート部材を備え、前記第一シート部材の一側辺は、前記顔の中心線に配置され、前記側辺に形成された延伸部は、延伸して、前記第一シート部材と対応するとともにもう一方の前記顔の側面に貼られる第二シート部材を形成し、前記第一シート部材と前記第二シート部材は、共同で、前記延伸部に隣接するとともに圧接によって連結される切開口部を形成する。【選択図】図２
0003168175.tif 000002
【実用新案登録請求の範囲】
【請求項１】
液体を含むとともに顔の皮膚に敷かれる単一シート式全被覆型立体パックであって、
前記パックは、前記顔の片方の側面に貼られる第一シート部材を備え、前記第一シート部材の一側辺は、前記顔の中心線に配置され、前記側辺に形成された延伸部は、延伸して、前記第一シート部材と対応するとともにもう一方の前記顔の側面に貼られる第二シート部材を形成し、前記第一シート部材と前記第二シート部材は、共同で、前記延伸部に隣接するとともに圧接によって連結される切開口部を形成することを特徴とする、単一シート式全被覆型立体パック。
【請求項２】
前記各シート部材における前記切開口部から離れた箇所であるとともに前記顔の耳に隣接する箇所は、引っ張ることで角度を調整することが可能な切開部を形成することを特徴とする、請求項１に記載の単一シート式全被覆型立体パック。
【請求項３】
各前記シート部材は、下に延伸して、首に貼りつけられるとともに前記切開部を利用して引っ張ることで角度を調整することが可能な首貼り合わせシート部を形成することを特徴とする、請求項２に記載の単一シート式全被覆型立体パック。
【請求項４】
前記切開口部は、少なくとも、顔の目と鼻と口の位置に配置されることを特徴とする、請求項１に記載の単一シート式全被覆型立体パック。
【請求項５】
前記延伸部は、顔の額、或いは、あご、或いは、あごから首にかけての箇所、或いは首に配置されることを特徴とする、請求項１または請求項３に記載の単一シート式全被覆型立体パック。
【請求項６】
前記首貼り合わせシート部には、前記耳に掛けられる耳掛け部が形成されることを特徴とする、請求項３に記載の単一シート式全被覆型立体パック。
【請求項７】
各前記シート部材における切開口部から離れた箇所であるとともに前記耳に隣接した箇所は、延伸して、前記耳に掛けられる耳掛け部を形成することを特徴とする、請求項３に記載の単一シート式全被覆型立体パック。
【請求項８】
各前記シート部材の外縁は、それぞれ凸部と引き伸ばし部を形成することを特徴とする、請求項１に記載の単一シート式全被覆型立体パック。
【請求項９】
前記各凸部が延伸する位置は、同一水平面上にないことを特徴とする、請求項８に記載の単一シート式全被覆型立体パック。
【請求項１０】
前記各引き伸ばし部が延伸する位置は、同一水平面上にあることを特徴とする、請求項８に記載の単一シート式全被覆型立体パック。
【考案の詳細な説明】
【技術分野】
【０００１】
本考案はパックに関し、特に一体成型及び切開口部を圧接で接合することによって、２Ｄの顔の曲線に沿ってぴったりと覆うことが可能な単一シート式全被覆型立体パックに関する。
【背景技術】
【０００２】
パックは肌の手入れを行うのに用いられる。従来のパックは、液体を吸着する能力を備えたスキンケアキャリア体を、肌に潤いを与える、肌の問題を改善する、肌の代謝を促す、肌を清潔に保つ等の効果をもつ組成物（スキンケア品とも呼ぶ）内に浸すことで、スキンケア品が吸着したスキンケアキャリア体（スキンケアパックとも呼ぶ）を形成させることができる。このパックを使用する際は、パックで手入れしたい部位を覆えば、スキンケア効果を生じさせることができる。
【０００３】
しかしながら、従来のスキンケアキャリア体は、一般的に不織布からなる（即ち、弾性をもつ不織布を使用して製造される）ため、人体の表面を覆った時、隙間が生じる。しかも、大量生産するためサイズにも制限があり、異なる人に合わせてサイズを調整したり、異なる部位に合わせて形状を調整したりすることができない。使用者は、使用する際、大きな動作は避け、できるだけ静止した状態を保つ必要があり、しかも、パックを覆う部位は、パックが外れないように、必ず上を向けなければならず、使用する際に不便である。従来のパックは、以上の欠点がある。
【考案の概要】
【考案が解決しようとする課題】
【０００４】
そこで、本考案は、顔の凸凹にぴったり貼りつけることができ、パックに吸着した液体に最大の効果を発揮させることが可能な単一シート式全被覆型立体パックを提供することを目的とする。
【０００５】
また、本考案は、美容の手入れや肌の保護を行うことが可能な単一シート式全被覆型立体パックを提供することを目的とする。
【課題を解決するための手段】
【０００６】
上述の目的を達成するために、本考案による単一シート式全被覆型立体パックは、液体を含むとともに顔の皮膚に敷かれる。前記パックは、前記顔の片方の側面に貼られる第一シート部材を備え、前記第一シート部材の一側辺は、前記顔の中心線に配置され、前記側辺に形成された延伸部は、延伸して、前記第一シート部材と対応するとともにもう一方の前記顔の側面に貼られる第二シート部材を形成し、前記第一シート部材と前記第二シート部材は、共同で、前記延伸部に隣接するとともに圧接によって連結される切開口部を形成する。
【考案の効果】
【０００７】
本考案による単一シート式のパックは、圧接によって切開口部を連結させる一体成型の技術により、パックの製造をより簡単にするとともにコストを下げることができる。そして、左右対称の２Ｄ曲面の製品を単一シート式の立体パックにすることができ、この立体のパックは、顔の凸凹にぴったり貼りつけられるだけでなく、パックに、位置の固定、被覆、ぴったりとした貼りつき、軟らかい快適さといった効果を持たせ、更には、パックが密着することにより、パックに吸着した液体に最大の効果を発揮させることができる。
【図面の簡単な説明】
【０００８】
【図１】本考案による一実施形態を示した平面図である（実施例１）。
【図２】本考案を顔に使用した状態を示した説明図である（実施例１）。
【図３】首貼り合わせシート部を備えた本考案を示した平面図である（実施例２）。
【図４】首貼り合わせシート部を備えた本考案を使用した状態を示した説明図である（実施例２）。
【図５】耳掛け構造を連結させた本考案を示した平面図である（実施例３）。
【図６】耳掛け構造を連結させた本考案を使用した状態を示した説明図である（実施例３）。
【図７】本考案のもう一つの実施例を示した平面図である（実施例４）。
【考案を実施するための形態】
【０００９】
（実施例１）
図１と図２を参照する。図１は、本考案による一実施形態を示した平面図であり、図２は、本考案を顔に使用した状態を示した説明図である。図から分かるように、本考案による単一シート式全被覆型立体パック１は、液体を含むとともに、顔２の肌に敷かれる。パック１は、顔２の片方の側面に貼られる第一シート部材１０を備え、第一シート部材１０の一側辺は、顔２の中心線２０に配置され、側辺に形成された延伸部１０２は、延伸して、第一シート部材１０に対応するとともに、もう一方の顔２の側面に貼られる第二シート部材１２形成する。また、第一シート部材１０と第二シート部材１２は、共同で、延伸部１０２に隣接するとともに圧接によって連結される切開口部１４を形成する。また、各シート部材１０、１２における切開口部１４から離れた箇所であるとともに顔２の耳に隣接する箇所は、引っ張ることで角度を調整することが可能な切開部１６を形成する。
【００１０】
延伸部１０２は、顔２の額に配置されるため、額から下に向かって顔の目、鼻、口、あごの位置に、切開口部１４が配置され、圧接によって切開口部１４は接合されて、第一シート部材１０と第二シート部材１２が単一シート式パック１を形成する。以上の構造により、パック１を、顔２の凹凸曲線に沿って貼りつけることができる。また、頬の箇所の貼りつき効果を更に高めるために、切開部１６、を利用して、そしてそれと同時に、パック２自体の不織布の縦と横向きの張力の特性を利用して、延伸部に形成される不織布角度の調整を行うことで、元々平面（２Ｄ）の第一シート部材１０と第二シート部材１２を、顔２の曲線に合わせてぴったりくっつけることができる。なお、この実施例では、顔２のパックを例にとっている。
【００１１】
（実施例２）
図３と図４を参照する。図３は、首貼り合わせシート部を備えた本考案を示した平面図であり、図４は、首貼り合わせシート部を備えた本考案を使用した状態を示した説明図である。二つの図に示すように、各シート部材１０ａ、１２ａは、下に延伸して、首に貼りつけられるとともに切開部１６ａを介して引っ張ることで角度を調整することが可能な首貼り合わせシート部１８ａを形成する。また、延伸部１０２ａの一部は、顔２ａのあごの箇所に形成され、あごから上に向かって顔の口、鼻、目から額にかけて、及び、あごから下に向かって首にかけては、切開口部１４ａが配置され、圧接によって切開口部１４ａが接合され、それにより第一シート部材１０ａと第二シート部材１２ａと首貼り合わせシート部１８ａは単一シート式パック１ａを形成する。以上の構造によって、パック１ａ全体を、顔２ａと首の凹凸曲線に合わせてぴったり貼りつけることができる。また、頬の貼り付き効果を更に高めるために、各首貼り合わせシート部１８ａと切開部１６ａを利用して、そしてそれと同時に、パック２ａ自体の不織布の縦と横向きの張力の特性を利用して、延伸部に形成される不織布角度の調整を行うことで（使用者の習慣と顔の形に応じて、直線形或いは弧形或いは楕円形方式で引っ張る）、元々平面（２Ｄ）の第一シート部材１０ａと第二シート部材１２ａを、顔２ａの曲線に合わせてぴったりと貼り合わせることができる。なお、この実施例においては、顔２ａのパックを例にとっている。
【００１２】
（実施例３）
図５と図６を参照する。図５は、耳掛け構造を連結させた本考案を示した平面図であり、図６は、耳掛け構造を連結させた本考案を使用した状態を示した説明図である。図５と図６に示すように、各シート部材１０ｂ、１２ｂは、下に向かって延伸し、首に貼りつけられるとともに切開部１６ｂにより引っ張ることで角度を調整することが可能な首貼り合わせシート部１８ｂを形成する。首貼り合わせシート部１８ｂは、耳に掛けられる耳掛け部１８０ｂを形成し、また、各シート部材１０ｂ、１２ｂにおける切開口部１４ｂから離れている箇所であるとともに耳に隣接した箇所は、延伸して、耳に掛けられる耳掛け部１０４ｂ、１２０ｂを形成する。また、延伸部１０２ｂの一部は、顔２ｂのあごから首にかけた箇所に配置され（または、図示しないが首に配置される）、あごから上に向かって顔の口、鼻、目の位置から額にかけての箇所には、切開口部１４ｂが配置され、圧接によって切開口部１４ｂが接合され、それにより、第一シート部材１０ｂと第二シート部材１２ｂと首貼り合わせシート部１８ｂは単一シート式パック１ｂを形成する。以上の構造により、パック１ｂ全体を、顔２ｂと首の凹凸曲線に合わせてぴったり貼り合わせることができる。使用者は、本考案によるパック１ｂの切開口部１４ｂを圧接によって一体成型させることができ、左右対称の２Ｄ曲面に展開させた製品を顔２ｂに敷き、さらに耳掛け部１０４ｂ、１２０ｂを耳に掛け、首貼り合わせシート部１８ｂを引っ張って角度を調整して頬を完全に覆って貼りつくようにすることができる。その後、さらに首貼り合わせシート部１８ｂの耳掛け部１８０ｂを耳にかけることにより、引っ張って伸ばした後の角度を維持して固定することができる。
【００１３】
（実施例４）
図７は、本考案のもう一つの実施例を示した平面図である。図７に示すように、第一シート部材１０ｃと第二シート部材１２ｃの外縁は、それぞれ凸部１７ｃを形成する。各凸部１７ｃの位置は同一の水平面上にないため、美容液に浸して相互に貼りあわされた第一シート部材１０ｃと第二シート部材１２ｃを、簡単にはがして顔に敷くことができるとともに、立体パックの上半分を引っ張ってぴったり貼りつけることができる。また、第一シート部材１０ｃと第二シート部材１２ｃの外縁は延伸して、それぞれ引き伸ばし部１９ｃを形成し、各引き伸ばし部１９ｃは、同一水平面上に位置する。この引き伸ばし部１９ｃにより、前記立体パックの下半分を引っ張ることができ、それによりぴったり貼りつける目的を達成することができる。なお、引き伸ばし部１９ｃの位置は、パックの使用方法により異なり、様々な位置に設けることができる。
【００１４】
上述の四種類の異なる構造による単一シート式のパック１は、いずれも、圧接によって切開口部１４を連結させることで、左右対称の２Ｄ曲面の製品を単一シート式の立体パック１にすることができる。この立体のパック１は、顔の凸凹にぴったり貼りつけられるだけでなく、パック１に、位置の固定、被覆、ぴったりとした貼りつき、軟らかい快適さといった効果を持たせ、更には、パックが密着することにより、パックに吸着した液体に最大の効果を発揮させることができる。
【符号の説明】
【００１５】
１、１ａ、１ｂ  パック
１０、１０ａ、１０ｂ、１０ｃ    第一シート部材
１０２、１０２ａ、１０２ｂ    延伸部
１０４、１２０、１０４ｂ、１２０ｂ      耳掛け部
１２、１２ａ、１２ｂ、１２ｃ      第二シート部材
１４、１４ａ、１４ｂ      切開口部
１６、１６ａ、１６ｂ      切開部
１７ｃ                    凸部
１８、１８ａ、１８ｂ      首貼り合わせシート部
１８０、１８０ｂ          耳掛け部
１９ｃ                    引き伸ばし部
２、２ａ、２ｂ            顔
２０                      中心線
【図１】
0003168175.tif 000003
【図２】
0003168175.tif 000004
【図３】
0003168175.tif 000005
【図４】
0003168175.tif 000006
【図５】
0003168175.tif 000007
【図６】
0003168175.tif 000008
【図７】
0003168175.tif 000009